(57)【要約】      （修正有）【課題】美的に優れて魅力的な外観を維持しつつ、優れた機能性を提供する改善されたガムパッケージを提供する。【解決手段】ブリスターパッケージ１０は、消費可能な製品を各々収容する、開口した複数のブリスターの窪み部分を有する少なくとも１つのブリスタートレイを含む。ブリスタースリーブ１４は対の離間した平面壁２０，２２を有し、平面壁の間において、ピボット連結部を規定する。ブリスタートレイは、ブリスタースリーブ１４の壁の間において受け取られ、かつピボット連結部に対して旋回可能に連結される。スリーブは、２つの平面壁の間で、封入された位置から平面壁の外側への開いた位置へと、旋回する。【選択図】図１
2014148360.tif 000002
【特許請求の範囲】
【請求項１】
消費可能な製品を各々収容する、上方に開口した複数のブリスターの窪み部分を有する少なくとも１つのブリスタートレイと、
対の離間した平面壁を有し、かつそれらの平面壁の間において、ピボット連結部を規定するブリスタースリーブと
を備えるブリスターパッケージアセンブリであって、
前記ブリスタートレイは、前記スリーブの前記壁の間において受け取られ、かつ前記ピボット連結部に対して旋回可能に連結されて、２つの前記平面壁の間で、封入された位置から前記平面壁の外側への開いた位置へと、旋回する、ブリスターパッケージアセンブリ。
【請求項２】
前記ブリスタートレイが前記封入された位置にある場合には、前記ブリスターの窪み部分は前記スリーブによって覆われ、前記ブリスタートレイが開いた位置にある場合には、前記ブリスターの窪み部分は覆われていない、請求項１に記載のパッケージアセンブリ。
【請求項３】
前記少なくとも１つのブリスタートレイは複数のブリスタートレイを含む、請求項１に記載のパッケージアセンブリ。
【請求項４】
前記複数のブリスタートレイの各々は独立して互いに相対的に旋回する、請求項３に記載のパッケージアセンブリ。
【請求項５】
前記少なくとも１つのブリスタートレイは、延長部分を含み、前記延長部分は、前記ブリスタートレイを前記スリーブに旋回可能に連結するために、ピボットピンと協動する、請求項１に記載のパッケージアセンブリ。
【請求項６】
前記スリーブは、前記平面壁によって形成されたスリーブ内部に開口している２つの隣接する端部を含む、請求項１に記載のパッケージアセンブリ。
【請求項７】
前記スリーブは、閉じられている２つの隣接する端部を含む、請求項６に記載のパッケージアセンブリ。
【請求項８】
前記複数のブリスタートレイが封入された位置にある場合、前記複数のブリスタートレイは積み重ねられている、請求項１に記載のパッケージアセンブリ。
【請求項９】
前記スリーブは単一の一繋がりのブランクから形成される、請求項１に記載のパッケージアセンブリ。
【請求項１０】
前記ピボット連結部は、前記対の平面壁の間に延びるピンを含む、請求項１に記載のパッケージアセンブリ。
【請求項１１】
スリーブ内部を規定する第１および第２の離間した平面壁を含むスリーブと、
消費可能な製品を保持するための複数の窪み部分を有する第１のブリスタートレイと
を備える消費可能な製品のパッケージングであって、
前記第１のブリスタートレイは前記スリーブに旋回可能に連結され、前記第１のブリスタートレイは、前記窪み部分が前記スリーブの外側に配置されて、前記消費可能な製品の分配を可能にする第１の位置と、前記窪み部分が前記スリーブ内部内に配置される第２の位置とを有する、パッケージング。
【請求項１２】
消費可能な製品を保持するための複数の窪み部分を有する第２のブリスタートレイをさらに含み、前記第２のブリスタートレイは前記スリーブに旋回可能に連結される、請求項１１に記載のパッケージング。
【請求項１３】
消費可能な製品を保持するための複数の窪み部分を有する第３のブリスタートレイをさらに含み、前記第３のブリスタートレイは前記スリーブに旋回可能に連結され、前記第１、第２、および第３のブリスタートレイは互いに独立して旋回可能である、請求項１２に記載のパッケージング。
【請求項１４】
前記第１のブリスタートレイを前記スリーブに旋回可能に連結するためのヒンジピンをさらに含む、請求項１１に記載のパッケージング。
【請求項１５】
前記第１のブリスタートレイはそこに開口部を有する突出部分を含み、前記ヒンジピンが前記開口部を通って延びる、請求項１４に記載のパッケージング。
【請求項１６】
前記第１および第２の平面壁は各々、そこに形成されるヒンジ用の開口部を含み、前記ヒンジピンは前記ヒンジ用の開口部内に、かつ前記ヒンジ用の開口部の間に延びる、請求項１４に記載のパッケージング。
【請求項１７】
前記第１および第２の平面壁はそこから延びる丸型の突出部分を含み、前記ヒンジ用の開口部は前記丸型の突出部分に形成される、請求項１６に記載のパッケージング。
【請求項１８】
前記ブリスターの窪み部分は略透明な材料から形成されて、その中にある前記消費可能な製品を見ることができるようにする、請求項１１に記載のパッケージング。
【請求項１９】
前記平面壁は側壁によって、２つの端部に沿って連結され、前記側壁は、前記第１のブリスタートレイの回転を制限する、請求項１１に記載のパッケージング。
【発明の詳細な説明】
【技術分野】
【０００１】
本出願は、２００９年６月２３日に出願の米国特許仮出願第６１／２６９，３２４号の優先権の利益を主張し、その開示は、あらゆる目的のために、全体において、本明細書中おいて、参照することにより援用される。
【０００２】
本発明は一般に、消費可能な製品を収容および分配するためのパッケージングに関する。より詳細には、本発明は、封入した位置と開口した位置との間の動きのために、ブリスタースリーブにおいて旋回可能に保持されているブリスタートレイを有するブリスターパッケージに関する。
【背景技術】
【０００３】
従来技術において、チューインガムピース等の消費可能な製品が入った多くのパッケージが存在する。あるタイプのパッケージには、ブリスタートレイおよびブリスタースリーブを含むブリスターパッケージが挙げられる。多くのブリスターパッケージは、消費者に対してパッケージを望ましいものとする、美的に優れかつ機能的な特徴の両方を提供する。特定の所望の特徴としては、中身を見ることができる、美的に優れたデザインのパッケージングが挙げられる。特定の機能的な特徴としては、ガムピースを都合良く個々に分配することができるパッケージの中に、ガムピースを保持することができることが挙げられる。
【発明の概要】
【発明が解決しようとする課題】
【０００４】
消費者に対して、美的に優れて魅力的な外観を維持しつつ、優れた機能性を提供する改善されたガムパッケージを提供することが所望される。
【課題を解決するための手段】
【０００５】
本発明は、上方に開口した複数のブリスターの窪み部分を有する少なくとも１つのブリスタートレイを含むブリスターパッケージを提供する。各々のブリスターの窪み部分は消費可能な製品を各々収容する。ブリスタースリーブは対の離間した平面壁を有し、それらの平面壁の間において、ピボット連結部を規定する。ブリスタートレイは、ブリスタースリーブの壁の間において受け取られ、かつピボット連結部に対して旋回可能に連結される。スリーブは、２つの平面壁の間で、封入された位置から平面壁の外側への開いた位置へと、旋回する。
【０００６】
本発明は、スリーブ内部を規定する第１および第２の離間した平面壁を有するスリーブを含む消費可能な製品のパッケージングをさらに提供する。第１のブリスタートレイは、消費可能な製品を保持するための複数の窪み部分を有する。第１のブリスタートレイはスリーブに旋回可能に連結される。第１のブリスタートレイは、窪み部分がスリーブの外側に配置されて、消費可能な製品の分配を可能にする第１の位置と、窪み部分がスリーブ内部内に配置される第２の位置とを有する。
【図面の簡単な説明】
【０００７】
【図１】図１は、閉じた位置において示された本発明のブリスターパッケージの上方平面図である。
【図２】図２は、閉じた位置においてブリスターパッケージを示す側方斜視図である。
【図３】図３は、開いた位置において、ブリスターパッケージを示す上方斜視図である。
【図４Ａ】図４Ａは、ブリスタートレイの上方平面図である。
【図４Ｂ】図４Ｂは、図４Ａの線４Ｂ−４Ｂに沿ってとられた断面図である。
【図４Ｃ】図４Ｃは、図４Ａの線４Ｃ−４Ｃに沿ってとられた断面図である。
【図５】図５は、図１のブリスタースリーブを形成するために用いられる打ち抜きのブランクを示す平面図である。
【図６】図６は、閉じた位置において示されるブリスターパッケージの代替の実施形態の上方斜視図である。
【図７】図７は、開いた位置において示される図６のブリスターパッケージの上方平面図である。
【発明を実施するための形態】
【０００８】
本発明は、複数の製品、好ましくは消費可能な製品を包み込み、かつ分配するためのパッケージを提供する。より詳細には、本発明は、ガムピース等の菓子製品を収容かつ分配するように設計されている。複数層化されたガムピースは本発明の好適な実施形態において示されるが、本明細書に開示されるパッケージは、多くの形態において、ガムピース等の様々な消費可能な製品を分配するために用いられてよいことは理解され得る。本発明のパッケージは、平板（スラブ）状、スティック状、ペレット状、ピロー状などを含んだ様々な形状でガムピースを入れ、かつ分配するように用いられてよいことが想定されている。さらに、包装されていないガムスラブが本明細書における好適な実施形態に示されており、個々のガムが包装されている場合または包装されていない場合は本発明の想定内である。
【０００９】
図１から図３を参照すると、パッケージ１０は、複数の製品ホルダ１２と、製品ホルダを収容するためのスリーブ１４とを備える。製品ホルダは、上方に開口したブリスターの窪み部分１６を有する、従来の略透明のブリスタートレイであるブリスタートレイ１２であってよい。図示した本実施形態において、各々のブリスタートレイ１２は４つのブリスターの窪み部分１６を含み、それらの各々がガムピース１８を収容する。ブリスターの窪み部分１６は、ユーザによって変形可能であり、ガムピース１８の分配を可能にする。窪み部分１６の数が所望の数のガムピースを収容するように可変であってよいことは本発明の想定内である。ガムピースは全て同様であってもよく、あるいは、異なる味、色、形状等、異なる種類であってもよい。
【００１０】
図４Ａから図４Ｃをさらに参照すると、各ブリスタートレイ１２はまた、上方に開口したブリスターの窪み部分１６の上にあるブリスターフィルム、すなわちカバー１２ａを含んでもよい。カバー１２ａは、金属箔または透明なプラスチックフィルム等、様々な材料で形成されてよい。ガムピース１８は、ブリスターの窪み部分１２上において手動で押すことによって取り除かれてよく、それにより、当該技術分野において公知である方法で、カバー１２ａの方向にガムピースを動かしてカバーを破る。
【００１１】
ブリスタースリーブ１４は、ブリスタートレイ１２を受け取り、ブリスタートレイ１２のための保護を提供するための内部１５を含む。スリーブ１４は、離間し、平行方向に置かれ、かつ側壁２４および折ることのできる端壁２６によって連結される、２つの平面壁２０および２２を含む。折ることのできる端壁２６は一方の平面壁２２から延び、かつ、もう一方の平面壁２０にあるスロット２８に挿入可能であるタブ２６ａを含んで、部分的に封入したスリーブを提供する。スリーブの２つの隣接する端部は開口しており、ブリスタートレイを、スリーブの内外に旋回させることができる。もう一方の２つの隣接する端部は、側壁２４および端壁２６によって覆われていてよく、ブリスタートレイをスリーブ内に保持することを助ける。平面壁２０および２２は、製品に関連する印がプリントされてよい、あるいは付与されてよい表面を提供する。
【００１２】
ブリスタートレイ１２およびスリーブ１４は略矩形で示されているが、トレイおよびスリーブの形状は様々であり得ることは本発明の想定内である。例えば、円形、楕円形、または様々な多角形の形状が選択できる。
【００１３】
図５に示すように、スリーブ１４は、板紙の、または他の公知の材料の、あるいは、それらの組み合わせの、単一の一繋がりで形成された打ち抜きの平坦なブランク２７から形成されていてよい。平面壁２０は、折り目２７ａに沿って平面壁２２の上で折られてよい。端壁２６は、次いで、折り目２７ｂに沿って折られてよく、タブ２６ａはスロット２８に挿入される。タブ２６ａは、スロットおよびタブ２６ａとの間の機械的な相互接続によってスロット２８内に保持されてよい。あるいは、例えば接着剤などの使用等の他の固定技術もまた用いられてもよい。
【００１４】
図１〜図３に示されるように組み立てられ、ブリスタースリーブの平面壁２０および２２は各々、延在する丸型のコーナー部分２９を含み、このコーナー部分２９はそこに存在するヒンジ用の開口部２９ａ（図５）を有する。ヒンジ用の開口部２９ａは互いに対向して並べられており、ピボットピン３０がその間に延在している。ピボットピンはヘッド３０ａを含んでよく、そのヘッドの各端部において、ヘッドは開口部よりも大きく、その結果、ピンがスリーブ内に保持される。ピボットピン３０は、積み重ねられた方向において、ブリスタースリーブ１４を支持するために、ピボットの位置を規定する。
【００１５】
図４Ａに特に示すように、各ブリスタートレイ１２はトレイのコーナーから突出し、かつ開口部３４を有する延長部分３２を含む。ピボットピン３０は開口部３４を通って延びて、トレイ１２をスリーブへ旋回可能に保持する。トレイは各々、封入された位置と開いた位置との間で個々に旋回されてよい。全てのブリスタートレイ１２は、スリーブ１４から少なくとも部分的に取り出されることができ、そのようにしてブリスタートレイは扇形に広がる。封入された位置において、トレイは、スリーブ内部内に配置され、窪み部分は壁２０および２２によって覆われる。図３に示すように、トレイ１２が開いた位置にある場合、トレイはスリーブ内部１５の外側に配置され、ブリスタートレイの窪み部分はスリーブの平面壁によって覆われていない。封入された位置において、ブリスタートレイの一方の側から突出するブリスターの窪み部分は、ブリスタースリーブの壁２０および２２の内側表面に対して押されて、スリーブ１４内において、ブリスタートレイ１２を、擦るように保持する。
【００１６】
図２および図３を参照すると、本発明のブリスターパッケージの使用が示される。ブリスタートレイ１２の１つは、ブリスタースリーブ１４から外側にブリスタートレイ１２を旋回させることによって、図２に示す封入された位置から図３に示す開いた位置へと移動されてよい。ガムピース１８は、カバー１２ａを破ることで、従来の方法にて分配されてよい。その後、ブリスタートレイ１２は、スリーブ内部内に、封入された位置へと旋回して戻ってよい。２つの離間したブリスタートレイ１２の各々は同じように用いられてもよい。
【００１７】
図６および図７を参照すると、本発明の第２の実施形態が示される。この実施形態は図１〜図５に関して記載された実施形態と実質的に類似している。ブリスターパッケージ１０’は、ブリスタースリーブ１４’内で積み重ねられた方向において配置された３つのブリスタートレイ１２’を含む。各トレイは、各々ガムピース１８’を保持する複数のブリスターの窪み部分１６’を有する。ブリスタートレイ１２’は上述したような方法において用いられてよい。トレイ１２’は封入された位置と開いた位置との間で、ピボットピン３０’の周りを旋回する。全てのブリスタートレイは互いに独立して旋回可能であり、図７に示すように開いた位置で扇形に開くことができる。各々のブリスタートレイは同じ製品を含んでもよく、あるいは、各トレイは異なった製品または製品の味を有してもよい。
【００１８】
理解され得るように、任意の数のブリスタートレイが、本発明に従ったブリスタースリーブ内に収容されてもよい。同様に、各ブリスタートレイは２×２の方向において配置された４つのブリスターの窪み部分を有して示されているが、ブリスタートレイは、任意の数または方向のブリスターの窪み部分を含んでもよい。
【００１９】
前述で記載および図示した構造に対して様々な変更がここで当業者にとって明らかであろう。従って、本発明の特に開示された範囲は以下の特許請求の範囲において説明される。
【図１】
2014148360.tif 000003
【図２】
2014148360.tif 000004
【図３】
2014148360.tif 000005
【図４Ａ】
2014148360.tif 000006
【図４Ｂ】
2014148360.tif 000007
【図４Ｃ】
2014148360.tif 000008
【図５】
2014148360.tif 000009
【図６】
2014148360.tif 000010
【図７】
2014148360.tif 000011